(57)【特許請求の範囲】
【請求項１】
方立と無目とにより形成される枠体の開口部にパネル体を取付けてなるカーテンウォールにおいて、前記方立および無目を、室外側から方立の縦ラインが見えるマリオン仕様と、方立が見えないバックマリオン仕様との両仕様に対応可能に構成するにあたり、無目は、マリオン仕様、バックマリオン仕様の両仕様に共通の無目を用いる一方、方立は、躯体側に支持され、パネル体の室内側においてパネル体の左右縦辺部を支持するパネル体室内側支持部と縦押縁が取付けられる押縁取付け部とを有する方立部材を、マリオン仕様、バックマリオン仕様の両仕様に共通の部材として用いるとともに、マリオン仕様では、前記方立部材の押縁取付け部に、パネル体の室外側においてパネル体の左右縦辺部を支持するパネル体室外側支持部を有する縦押縁を取付け、バックマリオン仕様では縦押縁を取付けない構成にする一方、
前記方立部材は、躯体側に支持される左右の分割方立本体部と、該左右の分割方立本体部から互いに間隔を存する状態で室外側に向けて突設された左右の支持脚片にそれぞれ取付けられる左右の分割方立アタッチメントとから構成される左右分割型のものであって、前記左右の分割方立アタッチメントは、室内側面部と、パネル体室内側支持部となる室外側面部と、室内側面部から室外側面部に至る左右の面部とを有した矩形状のものであり、左右の分割方立アタッチメントの左右の面部のうち一方の面部同士は、その室内側半部が前記支持脚片に取付けられることで互いに間隔を存して対向し、該対向する面部の室外側半部に前記縦押縁を取付けるための押縁取付け部を形成することで、該押縁取付け部を、パネル体室内側支持部よりも室内側に位置せしめたことを特徴とするカーテンウォール構造。
【請求項２】
請求項１において、縦押縁は、左右の分割方立アタッチメントにそれぞれ取付けられ、左右の分割方立アタッチメントのパネル体室内側支持部に対向するパネル体室外側支持部をそれぞれ有した左右対の縦押縁から構成される左右分割型のものとしたことを特徴とするカーテンウォール構造。
【請求項３】
請求項１において、縦押縁は、左右の分割方立アタッチメントのうちの一方に取付けられ、左右の分割方立アタッチメントのパネル体室内側支持部にそれぞれ対向する左右のパネル体室外側支持部を有した左右一体型のものとしたことを特徴とするカーテンウォール構造。
【請求項４】
請求項１乃至３の何れか一項において、カーテンウォールは、枠体の開口部に障子が開閉自在に取付けられた窓部を備える一方、該窓部の無目および方立は、マリオン仕様、バックマリオン仕様の両仕様に共通の窓用無目、窓用方立を用いるとともに、前記障子は、窓用パネル体と該窓用パネル体の四周辺部を支持する上下の横框および左右の縦框を備え、これら上下の横框および左右の縦框を、マリオン仕様、バックマリオン仕様の両仕様に共通のものとする一方、左右の縦框は、窓用パネル体の室内側において窓用パネル体の左右縦辺部を支持するパネル体室内側支持部と縦押縁が取付けられる押縁取付け部とを有し、マリオン仕様では、該縦框の押縁取付け部に、窓用パネル体の室外側において窓用パネル体の左右縦辺部を支持するパネル体室外側支持部を有する縦押縁を取付け、バックマリオン仕様では縦押縁を取付けない構成にする一方、前記縦框の押縁取付け部を、パネル体室内側支持部よりも室内側に形成したことを特徴とするカーテンウォール構造。
【請求項５】
請求項４において、窓用方立は、窓部以外の部分の分割方立本体部と共通の分割方立本体部と、マリオン仕様、バックマリオン仕様の両仕様に共通の窓用方立アタッチメントとから構成されることを特徴とするカーテンウォール構造。
【請求項６】
請求項２を引用する請求項４または請求項２を引用する請求項５において、障子の縦框の押縁取付け部に取付けられる縦押縁を、窓部以外の部分の分割方立アタッチメントの押縁取付け部に取付けられる縦押縁と共通のものとしたことを特徴とするカーテンウォール構造。
【発明の詳細な説明】
【技術分野】
【０００１】
本発明は、建造物の外壁等に用いられるカーテンウォールの技術分野に関するものである。
【背景技術】
【０００２】
今日、方立（縦材）と無目（横材）とにより形成される枠体の開口部にパネル体を取付けてなるカーテンウォールが、建造物の外壁等に汎用的に用いられている。このようなカーテンウォールの外観意匠のバリエーションの一つとして、パネル体の左右縦辺部を室内外の両側から支持するように構成されていて、室外側から支持するための室外側支持部が方立の縦ラインとして室外側から見えるマリオン仕様と、パネル体の左右縦辺部を室外側からは支持せずに室内側からのみ支持するように構成されていて、方立が室外側から見えないバックマリオン仕様とがある。そして、このようなマリオン仕様、バックマリオン仕様のバリエーションに対応するにあたり、従来では、マリオン仕様用、バックマリオン仕様用としてそれぞれ専用の方立や無目が用いられており、コストダウンの妨げになっていた。
そこで、枠材（方立、無目）の室外側部分の形状変更、押縁の形状変更、カバー材の取付等の仕様変更によって、外観意匠のバリエーションに対応できるようにした技術（例えば、特許文献１、特許文献２参照。）が知られている。
【先行技術文献】
【特許文献】
【０００３】
【特許文献１】特開２０００−３０３６００号公報
【特許文献２】特許第３８４９８４５号公報
【発明の概要】
【発明が解決しようとする課題】
【０００４】
しかしながら、前記特許文献１、２のものは、マリオン仕様とバックマリオン仕様とで、室外側部分のみではあるが形状の異なる枠材が用いられている。このため、やはりマリオン仕様とバックマリオン仕様とでそれぞれ専用の枠材の製造、在庫管理が必要であって、コストダウンを達成できないという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、方立と無目とにより形成される枠体の開口部にパネル体を取付けてなるカーテンウォールにおいて、前記方立および無目を、室外側から方立の縦ラインが見えるマリオン仕様と、方立が見えないバックマリオン仕様との両仕様に対応可能に構成するにあたり、無目は、マリオン仕様、バックマリオン仕様の両仕様に共通の無目を用いる一方、方立は、躯体側に支持され、パネル体の室内側においてパネル体の左右縦辺部を支持するパネル体室内側支持部と縦押縁が取付けられる押縁取付け部とを有する方立部材を、マリオン仕様、バックマリオン仕様の両仕様に共通の部材として用いるとともに、マリオン仕様では、前記方立部材の押縁取付け部に、パネル体の室外側においてパネル体の左右縦辺部を支持するパネル体室外側支持部を有する縦押縁を取付け、バックマリオン仕様では縦押縁を取付けない構成にする一方、前記方立部材は、躯体側に支持される左右の分割方立本体部と、該左右の分割方立本体部から互いに間隔を存する状態で室外側に向けて突設された左右の支持脚片にそれぞれ取付けられる左右の分割方立アタッチメントとから構成される左右分割型のものであって、前記左右の分割方立アタッチメントは、室内側面部と、パネル体室内側支持部となる室外側面部と、室内側面部から室外側面部に至る左右の面部とを有した矩形状のものであり、左右の分割方立アタッチメントの左右の面部のうち一方の面部同士は、その室内側半部が前記支持脚片に取付けられることで互いに間隔を存して対向し、該対向する面部の室外側半部に前記縦押縁を取付けるための押縁取付け部を形成することで、該押縁取付け部を、パネル体室内側支持部よりも室内側に位置せしめたことを特徴とするカーテンウォール構造である。
請求項２の発明は、請求項１において、縦押縁は、左右の分割方立アタッチメントにそれぞれ取付けられ、左右の分割方立アタッチメントのパネル体室内側支持部に対向するパネル体室外側支持部をそれぞれ有した左右対の縦押縁から構成される左右分割型のものとしたことを特徴とするカーテンウォール構造である。
請求項３の発明は、請求項１において、縦押縁は、左右の分割方立アタッチメントのうちの一方に取付けられ、左右の分割方立アタッチメントのパネル体室内側支持部にそれぞれ対向する左右のパネル体室外側支持部を有した左右一体型のものとしたことを特徴とするカーテンウォール構造である。
請求項４の発明は、請求項１乃至３の何れか一項において、カーテンウォールは、枠体の開口部に障子が開閉自在に取付けられた窓部を備える一方、該窓部の無目および方立は、マリオン仕様、バックマリオン仕様の両仕様に共通の窓用無目、窓用方立を用いるとともに、前記障子は、窓用パネル体と該窓用パネル体の四周辺部を支持する上下の横框および左右の縦框を備え、これら上下の横框および左右の縦框を、マリオン仕様、バックマリオン仕様の両仕様に共通のものとする一方、左右の縦框は、窓用パネル体の室内側において窓用パネル体の左右縦辺部を支持するパネル体室内側支持部と縦押縁が取付けられる押縁取付け部とを有し、マリオン仕様では、該縦框の押縁取付け部に、窓用パネル体の室外側において窓用パネル体の左右縦辺部を支持するパネル体室外側支持部を有する縦押縁を取付け、バックマリオン仕様では縦押縁を取付けない構成にする一方、前記縦框の押縁取付け部を、パネル体室内側支持部よりも室内側に形成したことを特徴とするカーテンウォール構造である。
請求項５の発明は、請求項４において、窓用方立は、窓部以外の部分の分割方立本体部と共通の分割方立本体部と、マリオン仕様、バックマリオン仕様の両仕様に共通の窓用方立アタッチメントとから構成されることを特徴とするカーテンウォール構造である。
請求項６の発明は、請求項２を引用する請求項４または請求項２を引用する請求項５において、障子の縦框の押縁取付け部に取付けられる縦押縁を、窓部以外の部分の分割方立アタッチメントの押縁取付け部に取付けられる縦押縁と共通のものとしたことを特徴とするカーテンウォール構造である。
【発明の効果】
【０００６】
請求項１の発明とすることにより、マリオン仕様とバックマリオン仕様とでは、縦押縁を用いるか否かの違いだけで、無目も、方立を構成する方立部材も共通の部材を用いることができることになって、部材の共通化が図れ、コストダウンを達成できる。
請求項２の発明とすることにより、本発明を、左右分割型の方立部材および縦押縁が用いられているカーテンウォールに実施できる。
請求項３の発明とすることにより、縦押縁を左右一体型のものとすることで、部品点数の削減、縦押縁の取付け作業数の削減に貢献できる。
請求項４の発明とすることにより、カーテンウォールに設けられる窓部においても、マリオン仕様とバックマリオン仕様とでは、縦押縁を用いるか否かの違いだけで、窓用無目および窓用方立も、障子の上下の横框および左右の縦框も共通の部材を用いることができることになって、部材の共通化が図れ、さらなるコストダウンを達成できる。
請求項５の発明とすることにより、窓部と窓部以外の部分とで方立本体部の共通化が図れ、さらなるコストダウンを達成できる。
請求項６の発明とすることにより、さらなる部材の共通化が図れてコストダウンに貢献できるとともに、外観意匠においても、窓部と窓部以外の部分とが統一された優れた意匠となる。
【図面の簡単な説明】
【０００７】
【図１】第一の実施の形態を示すマリオン仕様のカーテンウォールの正面図である。
【図２】図１のＸ−Ｘ断面図である。
【図３】図１のＹ−Ｙ断面図である。
【図４】第一の実施の形態における無目の取付けを示す図である。
【図５】第一の実施の形態を示すバックマリオン仕様のカーテンウォールの正面図である。
【図６】図５のＸ−Ｘ断面図である。
【図７】図５のＹ−Ｙ断面図である。
【図８】第二の実施の形態を示す図である。
【図９】第三の実施の形態の無目を示す図である。
【図１０】（Ａ）、（Ｂ）は第四の実施の形態を示すマリオン仕様のカーテンウォールの正面図、一部省略縦断面図である。
【図１１】図１０のＸ−Ｘ断面図である。
【図１２】図１０のＹ−Ｙ断面図である。
【図１３】（Ａ）、（Ｂ）は第四の実施の形態を示すバックマリオン仕様のカーテンウォールの正面図、一部省略縦断面図である。
【図１４】図１３のＸ−Ｘ断面図である。
【図１５】図１４のＹ−Ｙ断面図である。
【図１６】第五の実施の形態を示すマリオン仕様のカーテンウォールの横断面図である。
【図１７】第五の実施の形態を示すバックマリオン仕様のカーテンウォールの横断面図である。
【図１８】第五の実施の形態における無目の取付けを示す図である。
【図１９】躯体側への取付けを示す平面図である。
【図２０】躯体側への取付けを示す側面図である。
【発明を実施するための形態】
【０００８】
以下、本発明の実施の形態について、図面に基づいて説明する。
まず、本発明の第一の実施の形態について、図１〜図７に基づいて説明すると、１は建造物の外壁等に用いられるカーテンウォールであって、該カーテンウォール１は、方立（縦材、マリオン）２と無目（横材）３とにより形成される枠体の開口部にパネル体５を取付けて形成されている。尚、本実施の形態では、パネル体５としてガラスが採用されている。
ここで、本実施の形態では、カーテンウォール１を形成する工法として、方立２を左右分割型のものにする一方、分割された方立２を左右の縦枠として該分割方立間に無目３を組付けてユニット化した枠組ユニットを予め形成しておき、これら枠組ユニットを施工現場にて順次躯体側に組付けて枠体全体を形成するとともに、該枠体の開口部にパネル体５を取り付けてカーテンウォール１を形成する、所謂ユニット式スプリットマリオン工法が採用されているが、その手順については後述する。
さらに、前記カーテンウォール１は、外観意匠のバリエーションとして、室外側から方立２の縦ラインが見えるマリオン仕様と、方立２が見えないバックマリオン仕様とを選択できるようになっているとともに、パネル体５を支持する方立２および無目３は、マリオン仕様とバックマリオン仕様の両仕様に対応できるように構成されており、これら方立２および無目３の構成について、以下に説明する。
尚、本実施の形態を説明するにあたり、後述する方立本体部６に対してパネル体５が配設される側を室外側とし、パネル体５に対して方立本体部６が配設される側を室内側とする。また、パネル体５の面方向に沿う方向を上下方向および左右方向として説明する。
【０００９】
前記方立２は、マリオン仕様とバックマリオン仕様の両仕様に共通の部材として方立部材４を用いて構成されているとともに、該方立部材４は、躯体側に支持される方立本体部６と、該方立本体部６の室外側に組付けられる方立アタッチメント７とを用いて構成されているが、本実施の形態の方立部材４は、左右対の分割方立部材４Ａ、４Ｂから形成される左右分割型のものであって、方立本体部６および方立アタッチメント７も、それぞれ左右対の分割方立本体部６Ａ、６Ｂ、左右対の分割方立アタッチメント７Ａ、７Ｂから形成される左右分割型のものとなっている。
【００１０】
前記左右の分割方立本体部６Ａ、６Ｂは、室内側面部６Ａａ、６Ｂａ、室外側面部６Ａｂ、６Ｂｂ、左右内方側面部６Ａｃ、６Ｂｃを備え、左右の分割方立本体部６Ａ、６Ｂ同士を連結した状態で互いに対向する左右外方側が開口した水平断面半矩形状のものであって、一方の分割方立本体部６Ａ（図２、図６では左側の分割方立本体部６Ａ）の室内側面部６Ａａおよび室外側面部６Ａｂの左右外方側端部には、他方の分割方立本体部６Ｂ（図２、図６では右側の分割方立本体部６Ｂ）の室内側面部６Ｂａおよび室外側面部６Ｂｂの左右外方側端部に係合する係合部６Ａｄ、６Ａｅが突出形成されている。そして、これら分割方立本体部６Ａ、６Ｂ同士は、上記係合部６Ａｄ、６Ａｅを他方の分割方立本体部６Ｂの室内側面部６Ｂａおよび室外側面部６Ｂｂの左右外方側端部に係合させた状態で、一方の分割方立本体部６Ａにビス９で止着され他方の分割方立本体部６Ｂに係合される方立ジョイント部品（連結部材）８により隙間があかないように連結され、これにより水平断面が矩形中空状の方立本体部６が形成されるようになっているが、前記係合部６Ａｄ、６Ａｅにはシール材１０が嵌合されるリップ状溝６Ａｆ、６Ａｇが形成されており、該リップ状溝６Ａｆ、６Ａｇに嵌合されたシール材１０によって、分割方立本体部６Ａ、６Ｂ同士の連結部のシール性が確保されるようになっている。
尚、前記分割方立本体部６Ａ、６Ｂ同士の連結は、前述した枠組ユニットを躯体側に取付ける場合に行われる。また、本実施の形態の説明において、左右の分割方立本体部６Ａ、６Ｂ同士を連結した状態で分割方立本体部６Ａ、６Ｂ同士が互いに対向する側（連結側）は、無目３と方立２により形成される枠体の開口部に取付けられたパネル体５にとって左右外方側となるため、分割方立本体部６Ａ、６Ｂ同士の連結側を左右外方側とし、反対側を左右内方側とする。
【００１１】
さらに、前記左右の分割方立本体部６Ａ、６Ｂの室外側面部６Ａｂ、６Ｂｂの左右外方側部位には、室外側面部６Ａｂ、６Ｂｂから垂直状に室外側に突出する支持脚片６Ａｈ、６Ｂｈが形成されている。これら左右の分割方立本体部６Ａ、６Ｂの支持脚片６Ａｈ、６Ｂｈの左右内方側には、ビス２９を介して後述する無目３の左右外端部が取付けられるとともに、上下の無目３間に位置する状態で左右の分割方立アタッチメント７Ａ、７Ｂが取付けられるが、これら支持脚片６Ａｈ、６Ｂｈ同士は、分割方立本体部６Ａ、６Ｂ同士を連結した状態で、所定間隔を存する状態で平行状となるように設けられているとともに、その室外側先端部間にはバックアップ材１１が嵌め込まれ、さらに該バックアップ材１１の室外側はシーリング材１２によってシールされるようになっており、これにより分割方立本体部６Ａ、６Ｂ同士の支持脚片６Ａｈ、６Ｂｈ間のシール性が確保されるようになっている。
尚、本実施の形態において、左右の分割方立本体部６Ａ、６Ｂの支持脚片６Ａｈ、６Ｂｈには、上下方向に複数の分割方立アタッチメント７Ａ、７Ｂが取付けられるとともに、該分割方立アタッチメント７Ａ、７Ｂの上下に位置する状態で無目３の左右外端面が取付けられるようになっているが、該支持脚片６Ａｈ、６Ｂｈに取付けられた無目３と分割方立アタッチメント７Ａ、７Ｂの上下間は少し離間しており、該離間部分にはゴム部材２７が介装されるようになっている。
【００１２】
さらに、左右の分割方立本体部６Ａ、６Ｂの室外側面部６Ａｂ、６Ｂｂの左右内方側部位には凹溝６Ａｉ、６Ｂｉが形成されており、外凹溝６Ａｉ、６Ｂｉにはシール材１３が嵌合されるとともに、後述する分割方立アタッチメント７Ａ、７Ｂの係止突起７Ａｆ、７Ｂｆが係止するようになっている。
【００１３】
一方、左右の分割方立アタッチメント７Ａ、７Ｂは、室内側面部７Ａａ、７Ｂａ、室外側面部７Ａｂ、７Ｂｂ、左右内方側面部７Ａｃ、７Ｂｃ、左右外方側面部７Ａｄ、７Ｂｄを備え、水平断面が略矩形の中空状のものであって、室外側面部７Ａｂ、７Ｂｂは、バックアップ材１７およびシーリング材１８を介してパネル体５の左右縦辺部の室内側を支持するパネル体室内側支持部７Ａｂ、７Ｂｂを構成している。
【００１４】
また、左右の分割方立アタッチメント７Ａ、７Ｂの左右外方側面部７Ａｄ、７Ｂｄの室内側半部は、前記分割方立本体部６Ａ、６Ｂの支持脚片６Ａｈ、６Ｂｈに左右内方側から当接する取付面７Ａｅ、７Ｂｅになっている。そして、左右の分割方立アタッチメント７Ａ、７Ｂは、その室内側面部７Ａａ、７Ｂａを分割方立本体部６Ａ、６Ｂの室外側面部６Ａｂ、６Ｂｂに室外側から当接させ、且つ、左右外方側面部７Ａｄ、７Ｂｄの取付面７Ａｅ、７Ｂｅを分割方立本体部６Ａ、６Ｂの支持脚片６Ａｈ、６Ｂｈに左右内方側から当接させた状態で、取付面７Ａｅ、７Ｂｅと支持脚片６Ａｈ、６Ｂｈとをビス１４により固定することで、左右の分割方立本体部６Ａ、６Ｂの室外側にそれぞれ組付けられるようになっているとともに、該組付けた状態で、分割方立本体部６Ａ、６Ｂの左右内方側面部６Ａｃ、６Ｂｃと分割方立アタッチメント７Ａ、７Ｂの左右内方側面部７Ａｃ、７Ｂｃとは面一状となるように設計されている。
尚、左右の分割方立アタッチメント７Ａ、７Ｂは、同形状の型材を左右の分割アタッチメント７Ａ、７Ｂ同士が左右対称状となるように左右逆にして用いる。
【００１５】
さらに、左右の分割方立アタッチメント７Ａ、７Ｂの室内側面部７Ａａ、７Ｂａには、前記左右の分割方立本体部６Ａ、６Ｂの室外側面部６Ａｂ、６Ｂｂに形成の凹溝６Ａｉ、６Ｂｉに係止する係止突起７Ａｆ、７Ｂｆが形成されている。そして、分割方立アタッチメント７Ａ、７Ｂを分割方立本体部６Ａ、６Ｂに組付ける場合に、前記係止突起７Ａｆ、７Ｂｆを凹溝６Ａｉ、６Ｂｉに係止させるようになっているとともに、凹溝６Ａｉ、６Ｂｉに嵌合されたシール材１３によって、分割方立アタッチメント７Ａ、７Ｂの室内側面部７Ａａ、７Ｂａと分割方立本体部６Ａ、６Ｂの室外側面部６Ａｂ、６Ｂｂとの間のシール性が確保されるようになっている。
【００１６】
さらに、左右の分割方立アタッチメント７Ａ、７Ｂの左右外方側面部７Ａｄ、７Ｂｄには、取付面７Ａｅ、７Ｂｅの室外側端部に、シール材１５が嵌合される凹溝７Ａｇ、７Ｂｇが形成されているとともに、該凹溝７Ａｇ、７Ｂｇの室外側部位には、分割方立本体部６Ａ、６Ｂの支持脚片６Ａｈ、６Ｂｈの室外側端部が当接する当接片７Ａｈ、７Ｂｈが形成されている。そして、分割方立アタッチメント７Ａ、７Ｂを分割方立本体部６Ａ、６Ｂに組付ける場合に、前記当接片７Ａｈ、７Ｂｈが支持脚片６Ａｈ、６Ｂｈの室外側端部に当接することで室内外方向の位置決めがなされるとともに、凹溝７Ａｇ、７Ｂｇに嵌合されたシール材１５によって、支持脚片６Ａｈ、６Ｂｈと取付面７Ａｅ、７Ｂｅとの間のシール性が確保されるようになっている。
【００１７】
さらに、左右の分割方立アタッチメント７Ａ、７Ｂの左右外方側面部７Ａｄ、７Ｂｄには、前記当接片７Ａｈ、７Ｂｈよりも室外側となる室外側半部に、後述する縦押縁１６Ａ、１６Ｂを取付けるための押縁取付け部７Ａｉ、７Ｂｉが形成されている。該押縁取付け部７Ａｉ、７Ｂｉは、後述する縦押縁１６Ａ、１６Ｂの係止突片１６Ａｄ、１６Ｂｄを係止するための二条の係止溝７Ａｋ、７Ｂｋが形成されているとともに、分割方立アタッチメント７Ａ、７Ｂのパネル体室内側支持部（室外側面部）７Ａｂ、７Ｂｂよりも室内側に位置するように設けられている。
【００１８】
そして、パネル体５は、前記左右の分割方立アタッチメント７Ａ、７Ｂのパネル体室内側支持部（室外側面部）７Ａｂ、７Ｂｂの室外側に取付けられることになるが、この場合に、マリオン仕様では、前記分割方立アタッチメント７Ａ、７Ｂの押縁取付け部７Ａｉ、７Ｂｉに縦押縁１６Ａ、１６Ｂを取付ける一方、バックマリオン仕様では縦押縁１６Ａ、１６Ｂを取付けない構成になっている。
【００１９】
前記縦押縁１６Ａ、１６Ｂは、本実施の形態では、左右の分割方立アタッチメント７Ａ、７Ｂの押縁取付け部７Ａｉ、７Ｂｉにそれぞれ取付けられる左右分割型のものであって、パネル体５の室外側に位置する見付け片１６Ａａ、１６Ｂａと、該見付け片１６Ａａ、１６Ｂａの左右外方側端部から室内側に向けて突出形成される取付け片１６Ａｂ、１６Ｂｂを備えている。そして、前記見付け片１６Ａａ、１６Ｂａは、バックアップ材１７およびシーリング材１８を介してパネル体５の左右縦辺部の室外側を支持するパネル体室外側支持部１６Ａａ、１６Ｂａを構成しているとともに、取付け片１６Ａｂ、１６Ｂｂの室内側部位には、前記押縁取付け部７Ａｉ、７Ｂｉの二条の係止溝７Ａｋ、７Ｂｋに係止する鈎状の係止突片１６Ａｄ、１６Ｂｄが形成されている。
尚、図中、１６Ａｅは左右の縦押縁１６Ａ、１６Ｂのうち一方の縦押縁１６Ａ（図２では左側の縦押縁１６Ａ）の取付け片１６Ａｂに形成される防水用突片、また、１６Ｂｆは他方の縦押縁１６Ｂ（図２では右側の縦押縁１６Ｂ）の取付け片１６Ｂｂに取付けられる防水板であって、これら防水用突片１６Ａｅと防水板１６Ｂｆとは、係止突片１６Ａｄ、１６Ｂｄの室外側において室内外方向にオーバーラップするように設けられている。
また、左右の縦押縁１６Ａ、１６Ｂは、一方に防水用突片１６Ａｅが形成されている点が異なるだけで、他の部分は全て左右対称状に形成されている。
【００２０】
そして、パネル体５を取付けるにあたり、マリオン仕様では、分割方立アタッチメント７Ａ、７Ｂの押縁取付け部７Ａｉ、７Ｂｉに縦押縁１６Ａ、１６Ｂを取付けて、分割方立アタッチメント７Ａ、７Ｂのパネル体室内側支持部（室外側面部）７Ａｂ、７Ｂｂと縦押縁１６Ａ、１６Ｂのパネル体室外側支持部（見付け片）１６Ａａ、１６Ｂａとの間に、バックアップ材１７およびシーリング材１８を介してパネル体５の左右縦辺部を挟持支持せしめる。この場合に、縦押縁１６Ａ、１６Ｂは、室内側に突出する取付け片１６Ａｂ、１６Ｂｂを、左右に隣接するパネル体５の左右縦辺部間を貫通させ、該取付け片１６Ａｂ、１６Ｂｂの室外側半部に設けられた係止突片１６Ａｄ、１６Ｂｄを押縁取付け部７Ａｉ、７Ｂｉの係止溝７Ａｋ、７Ｂｋに係止することで押縁取付け部７Ａｉ、７Ｂｉに取付けられるようになっているが、この状態では、縦押縁１６Ａ、１６Ｂの見付け片（パネル体室外側支持部）１６Ａａ、１６Ｂａが方立２の縦ラインとして室外側から見えるようになっている。
【００２１】
これに対し、バックマリオン仕様では、パネル体５を取付けるにあたり、縦押縁１６Ａ、１６Ｂを取付けずに、パネル体５の左右縦辺部の室内側を、バックアップ材１７およびシーリング材１８を介して分割方立アタッチメント７Ａ、７Ｂのパネル体室内側支持部（室外側面部）７Ａｂ、７Ｂｂに支持せしめるとともに、左右に隣接するパネル体５の左右縦辺部同士を突き付け、該突き付け部をシーリング材１９で充填して封止するが、この状態では、方立２全体がパネル体５の室内側に位置していて室外側から見えないようになっている。
尚、バックマリオン仕様に用いられるバックアップ材１７は、一方の分割方立アタッチメント７Ａのパネル体室内側支持部（室外側面部）７Ａｂから他方の分割方立アタッチメント７Ｂのパネル体室内側支持部（室外側面部）７Ｂｂまで亘るように形成されており、該バックアップ材１７に左右に隣接する両パネル体５の左右縦辺部の室内側を当接させた状態で、左右縦辺部同士間にシーリング材１９が充填されるようになっている。
また、マリオン仕様、バックマリオン仕様の両仕様において、方立アタッチメント７に対するパネル体５の左右縦辺部の取付けは、後述する無目３に対するパネル体５の上下辺部の取付けの後に行われるようになっている。
【００２２】
一方、前記無目３は、無目部材５９と該無目部材５９に取付けられる横押縁２３とから構成され、さらに上記無目部材５９は、左右外端面が前記分割方立本体部６Ａ、６Ｂの支持脚片６Ａｈ、６Ｂｈの左右内方側にビス２９を介して取付けられる無目本体部２０と、該無目本体部２０に取付けられる第一、第二無目アタッチメント２１、２２とを用いて構成されるとともに、これら無目３を構成する無目部材５９（無目本体部２０、第一、第二無目アタッチメント２１、２２）および横押縁２３は、マリオン仕様とバックマリオン仕様の両仕様に共通して用いられるように構成されている。
【００２３】
前記無目本体部２０は、その室内側半部に、上面部２０ａ、下面部２０ｂ、室内側面部２０ｃ、室外側面部２０ｄにより形成される縦断面が略矩形状の中空体を備え、該中空体には、無目本体部２０を前記分割方立本体部６Ａ、６Ｂの支持脚片６Ａｈ、６Ｂｈに取付けるためのビス２９が螺入される複数のビスホール２０ｑが形成されているとともに、上面部２０ａおよび下面部２０ｂの室外側端部には、第一、第二無目アタッチメント２１が取付けられるリップ溝状の第一、第二アタッチメント取付け溝２０ｅ、２０ｆが形成されている。
【００２４】
さらに、前記無目本体部２０の室外側面部２０ｄからは、第一見込み片２０ｇと第二見込み片２０ｈとが上下に平行となる状態で室外側に向けて突出形成されているとともに、これら第一、第二見込み片２０ｇ、２０ｈの室内外方向中間部同士は、連結片２０ｐにより連結されている。そして、上側に位置する第一見込み片２０ｇの室外側端部には、横押縁２３が取付けられる押縁取付け片２０ｉが上方に向けて屈曲形成される一方、下側に位置する第二見込み片２０ｈの室外側端部には、パネル体５の上辺部の室外側に位置する見付け片２０ｋが下方に向けて屈曲形成されているとともに、該見付け片２０ｋは、バックアップ材１７およびシーリング材１８を介してパネル体５の上辺部の室外側を支持するパネル体室外側支持部２０ｋを構成している。尚、図中、２０ｎは無目本体部２０に穿設される水抜き孔である。
【００２５】
そして、前記無目本体部２０は、その左右外端面を分割方立本体部６Ａ、６Ｂの支持脚片６Ａｈ、６Ｂｈの左右内方側面に当接させた状態で、支持脚片６Ａｈ、６Ｂｈの左右外方側から挿入したビス２９をビスホール２０ｑに螺入することにより分割方立本体部６Ａ、６Ｂに取付けられるが、この場合に、無目本体部２０の左右外端面は、室内側から室外側に至るまでストレートに切断加工されている（図４参照）。そして、左右に隣接する無目３の左右外端面同士は所定間隔を存する状態で対向し、該対向間にはシーリング材５７が充填されるようになっている。尚、本実施の形態では、左右に隣接する無目３の左右外端面同士の対向間隔（シーリング材５７の横幅）は、前記マリオン仕様における左右に隣接する縦押縁１６Ａ、１６の見付け片１６Ａａ、１６Ｂａの左右外端部同士の対向間隔、およびバックマリオン仕様における左右に隣接するパネル体５の左右縦辺部同士の対向間隔（シーリング材１９の横幅）と等しくなるように設定されている。
【００２６】
また、前記横押縁２３は、パネル体５の室外側に位置する見付け片２３ａと、該見付け片２３ａの室内側に形成される鈎状の取付け片２３ｂとを備えているとともに、上記見付け片２３ａは、バックアップ材１７およびシーリング材１８を介してパネル体５の下辺部の室外側を支持するパネル体室外側支持部２３ａを構成している。
【００２７】
一方、前記第一、第二無目アタッチメント２１、２２は、無目本体部２０の上面部２０ａ、下面部２０ｂに形成の第一、第二アタッチメント取付け溝２０ｅ、２０ｆにそれぞれ取付けられるが、該第一、第二無目アタッチメント２１、２２の室内側半部には、第一、第二アタッチメント取付け溝２０ｅ、２０ｆに係止する係止突起２１ａ、２２ａと、シール材２４が嵌合される凹溝２１ｂ、２２ｂとが形成され、また、第一、第二無目アタッチメント２１、２２の室外側半部には、バックアップ材１７およびシーリング材１８あるいはビード２５を介してパネル体５の下辺部、上辺部の室内側を支持するパネル体室内側支持部２１ｃ、２２ｃが形成されている。
尚、無目本体部２０の上面部２０ａに取付けられる第一無目アタッチメント２１と下面部２０ｂに取付けられる第二無目アタッチメント２２とは、同形状の型材を上下対称状となるように天地逆にして用いる。
【００２８】
そして、パネル体５は、その下辺部が、第一無目アタッチメント２１のパネル体室内側支持部２１ｃと横押縁２３のパネル体室外側支持部（見付け片）２３ａとの間に、バックアップ材１７およびシーリング材１８あるいはビード２５を介して挟持支持され、また上辺部が、第二無目アタッチメント２２のパネル体室内側支持部２２ｃと無目本体部２０のパネル体室外側支持部（見付け片）２０ｋとの間に、バックアップ材１７およびシーリング材１８あるいはビード２５を介して挟持支持されるようになっており、このようにしてパネル体５の上下辺部が無目３に支持されるようになっているが、該無目３は、前述したように、マリオン仕様とバックマリオン仕様の両仕様に共通して用いられるとともに、無目３に対するパネル体５の取付けも、両仕様で同様に行われるようになっている。そして、このようにしてパネル体５の上下辺部が無目３に取付けられた状態において、無目本体部２０の見付け片（パネル体室外側支持部）２０ｋおよび横押縁２３の見付け片（パネル体室外側支持部）２３ａが無目３の横ラインとして室外側から見えるようになっている。
尚、図中、２６はパネル体５の下端部を支持するとともにパネル体５の上下位置を調整するためのパネル体支持部材である。
【００２９】
ここで、前記方立２および無目３の組付け手順と、躯体側への取付け方法の概略について説明する。まず、工場等の製造現場において、分割方立本体部６Ａ、６Ｂに分割方立アタッチメント７Ａ、７Ｂを組付けて分割方立部材４Ａ、４Ｂを形成する。さらに、これら分割方立部材４Ａ、４Ｂの左右内方側間（反連結側間）に無目３を組付けることで、パネル体５が取付けられる開口部が上下方向に複数形成された梯子状の枠組ユニットを製作する。
さらに、カーテンウォール１の施工現場にて、前記枠組ユニットを、図示しない方立取付ブラケットおよびファスナーを介して躯体側に取付ける。そして、左右方向に隣接する枠組ユニットを、同様にして順次躯体側に取付けていく。この場合に、分割方立部材４Ａ、４Ｂ同士の室外側端が開いて隙間があかないように、本実施の形態では前記方立ジョイント部品（連結部材）８により挟み込んで分割方立部材４Ａ、４Ｂ同士を連結しているが、ネジ等の締結部材で分割方立部材４Ａ、４Ｂ同士を連結するようにしても良い。また、建物高さが高く、分割方立部材４Ａ、４Ｂを上下に繋いで施工する場合には、下半側が下側の分割方立部材４Ａ、４Ｂの上部に内嵌され上半側が上側の分割方立部材４Ａ、４Ｂの下部に内嵌される方立スリーブ（接合部材）５６を用いて、分割方立部材４Ａ、４Ｂを上下方向に連続して繋いでいくが、この場合に、上下に隣接する方立部材４同士を少し離間させて目地を設けるようになっている。尚、前記方立取付ブラケットおよびファスナーによる躯体側への取付けは、後述する第五の実施の形態でも同様であるため、該第五の実施の形態において説明する。
そして、前記枠組ユニットの躯体側への取付け終了後に、方立２と無目３により形成される枠体の開口部にパネル体５を嵌め、横押縁２３や縦押縁１６Ａ、１６Ｂ（マリオン仕様のみ）の取付け、シーリング材１９の充填（バックマリオン仕様のみ）を含めた各種シール処理等を行うことで、カーテンウォール１が形成されるようになっている。
【００３０】
叙述の如く構成された本発明の第一の実施の形態において、カーテンウォール１は、方立２と無目３とにより形成される枠体の開口部にパネル体５を装着して構成されるが、このものにおいて、前記方立２および無目３は、室外側から方立２の縦ラインが見えるマリオン仕様と、方立２が見えないバックマリオン仕様との両仕様に対応可能に構成されている。つまり、無目３は、マリオン仕様、バックマリオン仕様の両仕様に共通の無目３を用いる。また、方立２は、躯体側に支持され、パネル体５の室内側においてパネル体５の左右縦辺部を支持するパネル体室内側支持部（室外側面部）７Ａｂ、７Ｂｂと縦押縁１６Ａ、１６Ｂが取付けられる押縁取付け部７Ａｉ、７Ｂｉとを有する方立部材４を、マリオン仕様、バックマリオン仕様の両仕様に共通の部材として用いるとともに、マリオン仕様では、前記方立部材４の押縁取付け部７Ａｉ、７Ｂｉに、パネル体５の室外側においてパネル体５の左右縦辺部を支持するパネル体室外側支持部（見付け片）１６Ａａ、１６Ｂａを有する縦押縁１６Ａ、１６Ｂを取付ける一方、バックマリオン仕様では縦押縁１６Ａ、１６Ｂを取付けない構成になっているが、このものにおいて、前記方立部材４の押縁取付け部７Ａｉ、７Ｂｉは、パネル体室内側支持部７Ａｂ、７Ｂｂよりも室内側に形成されており、これにより、押縁取付け部７Ａｉ、７Ｂｉを有する方立部材４を、縦押縁１６Ａ、１６Ｂを取付けないバックマリオン仕様に用いても、押縁取付け部７Ａｉ、７Ｂｉがパネル体５の取付けの邪魔にならず、部材の共通化を達成できることになる。
【００３１】
この結果、マリオン仕様とバックマリオン仕様とでは、縦押縁１６Ａ、１６Ｂを用いるか否かの違いだけで、無目３も、方立２を構成する方立部材４も共通の部材を用いることができることになって、部材の共通化が図れ、製造コストの削減、在庫管理の簡素化、工場や施工現場での組み立て作業の共通化に大きく貢献できて、コストダウンを達成できることになる。また、１つの壁面内でマリオン仕様とバックマリオン仕様とを組み合わせることも容易となる。
【００３２】
さらにこのものにおいて、前記方立部材４は、躯体側に支持される方立本体部６と、該方立本体部６の室外側に組付けられ、パネル体５の左右縦辺部を支持するパネル体室内側支持部７Ａｂ、７Ｂｂおよび押縁取付け部７Ａｉ、７Ｂｉを有する方立アタッチメント７とから構成されている。そして、このように方立部材４が方立本体部６と方立アタッチメント７とに分割されていることにより、方立アタッチメント７を、上下の無目３の間の長さに切断加工されたものとし、これら方立アタッチメント７の上下に無目３を配設する構成にすることができるから、無目３を方立アタッチメント７に干渉しない状態で方立本体部６に取付けることができ、これにより、無目３の左右外端面の形状を、方立アタッチメント７に左右されることなくストレートな切断加工とすることができて、加工の簡素化に貢献できる。
さらに、方立部材４が方立本体部６と方立アタッチメント７とに分割されていることにより、方立アタッチメント７のみの仕様変更（例えば、パネル体として単板ガラス、複層ガラスを用いる場合の単板ガラス用、複層ガラス用の方立アタッチメント）、あるいは方立本体部６のみの仕様変更（例えば、低層から中高層までの建物に対応するべく見込み寸法や強度の異なる方立本体部）が可能となり、而して、部材の一部については共通化を達成できながら、種々のバリエーションへの対応も可能となる。
【００３３】
さらにこのものにおいて、方立部材４（方立本体部６および方立アタッチメント７）は、左右対の分割方立部材部４Ａ、４Ｂ（左右対の分割方立本体部６Ａ、６Ｂおよび方立アタッチメント７Ａ、７Ｂ）を組合わせて形成される左右分割型のものであって、本実施の形態では、このように左右分割型の方立部材４が用いられているカーテンウォール１に本発明が実施されている。さらに、本実施の形態では、押縁１６Ａ、１６Ｂについても、左右の分割方立部材４Ａ、４Ｂにそれぞれ取付けられ、左右の分割方立部材４Ａ、４Ｂのパネル体室内側支持部（室外側面部）７Ａｂ、７Ｂｂに対向するパネル体室外側支持部（見付け片）１６Ａａ、１６Ｂａをそれぞれ有した左右対の縦押縁１６Ａ、１６Ｂから構成される左右分割型のものが用いられているが、このような左右分割型の押縁１６Ａ、１６Ｂは、後述する第四の実施の形態のように、カーテンウォール１に窓が設けられている場合の窓用の縦押縁としても用いることができる。
【００３４】
尚、本発明は上記第一の実施の形態に限定されないことは勿論であって、例えば、第一の実施の形態の縦押縁は左右分割型のものであるが、図８に示す第二の実施の形態の如く、縦押縁２８を左右一体型のものとすることもできる。尚、第二の実施の形態のものは、縦押縁２８以外の部材、つまり、方立部材４を構成する方立本体部６や方立アタッチメント７、無目３は第一の実施の形態と同一のものであるため、同一の符号を付すとともに、説明を省略する。
【００３５】
前記第二の実施の形態の縦押縁２８は、パネル体５の室外側に位置する見付け片２８ａと、該見付け片２８ａの左右方向中央部から室内側に向けて突出する取付け片２８ｂとを備えている。前記見付け片２８ａは、左右に隣接する一方のパネル体５の縦辺部の室外側から他方のパネル体５の縦辺部の室外側に至るように形成されているとともに、その左右方向中央部には凹部２８ｃが形成されているが、該凹部２８ｃの左右両側部分は、左右の分割方立アタッチメント７Ａのパネル体室内側支持部７Ａｂ、７Ｂｂにそれぞれ対向する左右のパネル体室外側支持部２８ｄ、２８ｅを構成している。また、取付け片２８ｂには、左右の分割方立アタッチメント７Ａ、７Ｂのうち一方の分割方立アタッチメント７Ａ（図８において左側の分割方立アタッチメント７Ａ）の押縁取付け部７Ａｉの係止溝７Ａｋに係止する鈎状の係止突片２８ｆが形成されている。そして、該係止突片２８ｆを係止溝７Ａｋに係止させて縦押縁２８を押縁取付け部７Ａｉに取付けることによって、左右の分割方立アタッチメント７Ａ、７Ｂのパネル体室内側支持部７Ａｂ、７Ｂｂと縦押縁２８の左右のパネル体室外側支持部２８ｄ、２８ｅとの間に、バックアップ材１７およびシーリング材１８を介して左右に隣接する両パネル体５の縦辺部を支持せしめることができるようになっている。そして、このように左右一体型の縦押縁２８を用いることにより、部品点数の削減、縦押縁２８の取付け作業数の削減に貢献できる。
【００３６】
さらに、本発明は、図９に示す第三の実施の形態の如く、無目部材５８を、前述した第一の実施の形態における無目本体部と第一、第二無目アタッチメントとが一体形成されたものとすることもできる。つまり、第三の実施の形態の無目部材５８は、第一の実施の形態の無目本体部２０と同様に、無目部材５８を方立部材に取付けるための図示しないビスが螺入される複数のビスホール５８ａ、横押縁２３が取付けられる押縁取付け片５８ｂ、パネル体の上辺部の室外側を支持するパネル体室外側支持部（見付け片）５８ｃ等を備えているとともに、バックアップ材１４およびシーリング材１８あるいはビード２５（図９には図示せず）を介してパネル体の下辺部、上辺部の室内側を支持するパネル体室内側支持部５８ｄ、５８ｅが一体形成されている。
尚、上記第三の実施の形態の無目部材５８は、パネル体の下辺部および上辺部の室内側を支持するパネル体室内側支持部５８ｄ、５８ｅが一体形成されているが、パネル体の下辺部、上辺部のうち何れか一方を支持するパネル体室内側支持部のみが一体形成されたものであっても良く、この場合には、下辺部、上辺部のうち他方を支持する無目アタッチメントが装着される。
【００３７】
さらに、本発明は、図１０〜図１５に示す第四の実施の形態のように、枠体の開口部に障子３０が開閉自在に取付けられた窓部３１を備えたカーテンウォール３２にも実施することができる。尚、第四の実施の形態では、窓部３１は外倒し窓であってカーテンウォール３２の横一列に設けられており、該窓部３１の上下は第一の実施の形態と同様のパネル体５が取付けられているとともに、窓部３１以外の部分の方立２および無目３は、第一の実施の形態と同様である。また、第四の実施の形態において、第一の実施の形態と同一のものは同一の符号を付すとともに、説明を省略する。
【００３８】
前記窓部３１の方立３４は、マリオン仕様、バックマリオン仕様に共通の窓用方立３４から構成されるが、該窓用方立３４は、窓部３１以外の部分の方立２を構成する方立本体部６（第一の実施の形態の方立本体部６）と共通の方立本体部６と、該方立本体部６の室外側に組付けられる窓用方立アタッチメント３５とを用いて構成されている。つまり、窓部３１においては、窓部３１以外の部分と共通する方立本体部６に、窓部３１以外の部分に組付けられる方立アタッチメント７（第一の実施の形態の方立アタッチメント７）に替えて窓用方立アタッチメント３５が組付けられることになるが、該窓用方立アタッチメント３５は、マリオン仕様、バックマリオン仕様の両仕様に共通して用いられる。
【００３９】
前記窓用方立アタッチメント３５は、左右の分割方立本体部６Ａ、６Ｂにそれぞれ組付けられる左右の分割窓用方立アタッチメント３５Ａ、３５Ｂから形成される左右分割型のものであって、室内側面部３５Ａａ、３５Ｂａ、左右内方側面部３５Ａｂ、３５Ｂｂ、左右外方側面部３５Ａｃ、３５Ｂｃを備え、室外側が開口したコ字形状をしている。そして、左右の窓用方立アタッチメント３５Ａ、３５Ｂは、その室内側面部３５Ａａ、３５Ｂａを分割方立本体部６Ａ、６Ｂの室外側面部６Ａｂ、６Ｂｂに室外側から当接させ、且つ、左右外方側面部３５Ａｃ、３５Ｂｃを分割方立本体部６Ａ、６Ｂの支持脚片６Ａｈ、６Ｂｈに左右内方側から当接させた状態で、左右外方側面部３５Ａｃ、３５Ｂｃと支持脚片６Ａｈ、６Ｂｈとをビス１４により固定することで、左右の分割方立本体部６Ａ、６Ｂの室外側にそれぞれ組付けられるようになっているとともに、該組付けた状態で、分割方立本体部６Ａ、６Ｂの左右内方側面部７Ａｃ、７Ｂｃと窓用分割方立アタッチメント３５Ａ、３５Ｂの左右内方側面部３５Ａｂ、３５Ｂｂとは面一状となるように設計されている。
尚、左右の窓用方立アタッチメント３５Ａ、３５Ｂの室内外方向の寸法（見込み寸法）は、分割方立本体部６Ａ、６Ｂの支持脚片６Ａｈ、６Ｂｈの室内外方向の寸法よりも小さく設定されていて、支持脚片６Ａｈ、６Ｂｈが窓用方立アタッチメント３５Ａ、３５Ｂよりも室外側に突出する状態になっている。
また、左右の窓用分割方立アタッチメント３５Ａ、３５Ｂは、同形状の型材を左右の窓用分割アタッチメント３５Ａ、３５Ｂ同士が左右対称状となるように左右逆にして用いる。
【００４０】
さらに、左右の窓用分割方立アタッチメント３５Ａ、３５Ｂの室内側面部３５Ａａ、３５Ｂａには、左右の分割方立本体部６Ａ、６Ｂの室外側面部６Ａｂ、６Ｂｂに形成の凹溝６Ａｉ、６Ｂｉに係止する係止突起３５Ａｄ、３５Ｂｄが形成されている。そして、窓用分割方立アタッチメント３５Ａ、３５Ｂを分割方立本体部６Ａ、６Ｂに組付ける場合に、前記係止突起３５Ａｄ、３５Ｂｄを凹溝６Ａｉ、６Ｂｉに係止させるようになっているとともに、凹溝６Ａｉ、６Ｂｉに嵌合されたシール材１３によって、窓用分割方立アタッチメント３５Ａ、３５Ｂの室内側面部３５Ａａ、３５Ｂａと分割方立本体部６Ａ、６Ｂの室外側面部６Ａｂ、６Ｂｂとの間のシール性が確保されるようになっている。
【００４１】
さらに、左右の窓用分割方立アタッチメント３５Ａ、３５Ｂの左右外方側面部３５Ａｃ、３５Ｂｃの室外側端部には、シール材１５が嵌合される凹溝３５Ａｅ、３５Ｂｅが形成されている。そして、該凹溝３５Ａｅ、３５Ｂｅに嵌合されたシール材１５によって、窓用分割方立アタッチメント３５Ａ、３５Ｂの左右外方側面部３５Ａｃ、３５Ｂｃと分割方立本体部６Ａ、６Ｂの支持脚片６Ａｈ、６Ｂｈとの間のシール性が確保されるようになっている。
【００４２】
さらに、左右の窓用分割方立アタッチメント３５Ａ、３５Ｂの左右内方側面部３５Ａｂ、３５Ｂｂの室外側端部には、戸当りパッキン３８が取付けられる凹溝３５Ａｆ、３５Ｂｆが形成されている。そして、該凹溝３５Ａｆ、３５Ｂｆに嵌合された戸当りパッキン３８には、後述する障子３０の縦框４７の当接部４７ｆが当接するようになっている。
【００４３】
一方、窓部３１の無目４０は、マリオン仕様、バックマリオン仕様の両仕様に共通の窓用無目４０が用いられるが、該窓用無目４０は、窓部３１の上枠となる窓用上側無目４０Ａと、下枠となる窓用下側無目４０Ｂとから構成される。
【００４４】
前記窓用上側無目４０Ａは、左右外端部が前記分割方立本体部６Ａ、６Ｂの支持脚片６Ａｈ、６Ｂｈの左右内方側に図示しないビスを介して取付けられる窓用上側無目本体部４１と、該窓用上側無目本体部４１に取付けられる第一無目アタッチメント２１および横押縁２３を用いて構成されているが、第一無目アタッチメント２１および横押縁２３は、窓部３１以外の部分の無目３を構成する第一無目アタッチメント２１および横押縁２３（第一の実施の形態の第一無目アタッチメント２１および横押縁２３）と共通のものが用いられている。
【００４５】
前記窓用上側無目本体部４１は、室内側面部４１ａと、該室内側面部４１ａの上端部から室外側に突出する上面部４１ｂと、室内側面部４１ａの上下方向中間部から上面部４１ｂよりもさらに室外側に突出する見込み片４１ｃと、上面部４１ｂと見込み片４１ｃとを連結する連結片４１ｄと、室内側面部４１ａの下側半部の室外側に形成される中空矩形状の戸当り部４１ｅとを備えるとともに、窓用上側無目本体部４１を分割方立本体部６Ａ、６Ｂの支持脚片６Ａｈ、６Ｂｈに取付けるための図示しないビスが螺入される複数のビスホール４１ｆを有している。さらに、上面部４１ｂの室外側端部には、第一無目アタッチメント２１が取付けられるリップ溝状のアタッチメント取付け溝４１ｇが形成され、また、見込み片４１ｃの室外側端部には、横押縁２３が取付けられる押縁取付け片４１ｈが上方に向けて屈曲形成されている。そして、上記アタッチメント取付け溝４１ｇに取付けられた第一無目アタッチメント２１のパネル体室内側支持部２１ｃと、押縁取付け片４１ｈに取付けられた横押縁２３のパネル体室外側支持部（見付け片）２３ａとの間に、障子３０の上側に位置するパネル体５の下辺部がバックアップ材１７およびシーリング材１８またはビード２５を介して挟持支持されるようになっている。
【００４６】
さらに、窓用上側無目本体部４１に形成される中空矩形状の戸当り部４１ｅの室外側下端部には、戸当りパッキン３８が取付けられる凹溝４１ｉが形成されている。そして、該凹溝４１ｉに嵌合された戸当りパッキン３８には、後述する障子３０の上框４５の当接部４８ｃが当接するようになっている。
【００４７】
一方、窓用下側無目４０Ｂは、左右外端部が前記分割方立本体部６Ａ、６Ｂの支持脚片６Ａｈ、６Ｂｈの左右内方側に図示しないビスを介して取付けられる窓用下側無目本体部４２と、該窓用上側無目本体部４２に取付けられる第二無目アタッチメント２２とを用いて構成されているが、第二無目アタッチメント２２は、窓部３１以外の部分の無目３を構成する第二無目アタッチメント２２（第一の実施の形態の第二無目アタッチメント２２）と共通のものが用いられている。
【００４８】
前記窓用下側無目本体部４２は、室内側面部４２ａと、該室内側面部４２ａの下端部から室外側に突出する下面部４２ｂと、室内側面部４２ａの上下方向中間部から下面部４２ｂよりもさらに室外側に突出する見込み片４２ｃと、下面部４２ｂと見込み片４ととを連結する連結片４２ｄと、室内側面部４２ａの上側半部の室外側に形成される中空矩形状の戸当り部４２ｅとを備えるとともに、窓用下側無目本体部４２を分割方立本体部６Ａ、６Ｂの支持脚片６Ａｈ、６Ｂｈに取付けるための図示しないビスが螺入される複数のビスホール４２ｆを有している。さらに、下面部４２ｂの室外側端部には、第二無目アタッチメント２２が取付けられるリップ溝状のアタッチメント取付け溝４２ｇが形成され、また、見込み片４２ｃの室外側端部には、障子３０の下側に位置するパネル体５の上辺部の室外側に位置する見付け片４２ｈが下方に向けて屈曲形成されているとともに、該見付け片４２ｈは、バックアップ材１７およびシーリング材１８を介してパネル体５の上辺部の室外側を支持するパネル体室外側支持部４２ｈを構成している。そして、上記アタッチメント取付け溝４２ｇに取付けられた第二無目アタッチメント２２のパネル体室内側支持部２２ｃと、窓用下側無目本体部４２のパネル体室外側支持部（見付け片）４２ｈとの間に、障子３０の下側に位置するパネル体５の上辺部がバックアップ材１７およびシーリング材１８を介して挟持支持されるようになっている。
【００４９】
さらに、窓用下側無目本体部４２に形成される中空矩形状の戸当り部４２ｅの室外側上端部には、戸当りパッキン３８が取付けられる凹溝４２ｋが形成されている。そして、該凹溝４２ｋに嵌合された戸当りパッキン３８には、後述する障子３０の下框４６の当接部５１ｃが当接するようになっている。
【００５０】
さらに、前記窓用下側無目本体部４２の見込み片４２ｃの上面には、障子３０を外倒し状態で開閉するためのヒンジ４３の一方の羽根４３ａが取付けられている。
【００５１】
一方、前記障子３０は、窓用パネル体４４と、該窓用パネル体４４の上下左右の四周辺部を支持する上框４５、下框４６および左右の縦框４７とを備えて構成されているが、これら上框４５、下框４６および左右の縦框４７は、マリオン仕様とバックマリオン仕様の両仕様に共通して用いられるように構成されている。尚、本実施の形態では、窓用パネル４４としてガラスが採用されている。また、上框４５、下框４６は、本発明の上下の横框に相当する。
【００５２】
前記上框４５は、上框本体部４８と、該上框本体部４８に取付けられる上框アタッチメント４９とを用いて構成されている。上框本体部４８は、その室外側半部に、窓用パネル体４４を取付けるためのパネル体取付け部４８ａが形成され、また、室内側半部には、上框本体部４８を左右の縦框４７に取付けるための図示しないビスが螺入される複数のビスホール４８ｂが形成されているとともに、室内側端部には、窓用上側無目４０Ａの戸当り部４１ｅに設けた戸当りパッキン３８に当接する当接部４８ｃが形成されている。
【００５３】
前記上框本体部４８の窓用パネル体取付け部４８ａは、上面部４８ｄと、該上面部４８ｄの室内側端部から垂下する垂下片４８ｅと、該垂下片４８ｅの下端部に形成されるリップ溝状のアタッチメント取付け溝４８ｆと、上面部４８ｄの室外側端部から下方に向けて屈曲形成され、窓用パネル体４４の室外側に位置する見付け片４８ｇとを備えているとともに、該見付け片４８ｇは、バックアップ材１７およびシーリング材１８を介して窓用パネル体４４の上辺部の室外側を支持するパネル体室外側支持部４８ｇを構成している。
【００５４】
また、上框アタッチメント４９は、その室内側半部に、前記上框本体部４８のアタッチメント取付け溝４８ｆに係止する係止突起４９ａと、シール材２４が嵌合される凹溝４９ｂとが形成され、また室外側半部には、バックアップ材１７およびシーリング材１８を介して窓用パネル体４４の上辺部の室内側を支持するパネル体室内側支持部４９ｃが形成されている。そして、該上框アタッチメント４９のパネル体室内側支持部４９ｃと、前記上框本体部４８のパネル体室外側支持部（見付け片）４８ｇとの間に、窓用パネル体４４の上辺部がバックアップ材１７およびシーリング材１８を介して挟持支持されるようになっている。
尚、図中、５０は前記上框本体部４８の見付け片４８ｇの上端部に取付けられる防塵材である。
【００５５】
一方、下框４６は、下框本体部５１と、該下框本体部５１に取付けられる下框アタッチメント５２および窓用横押縁５３とを用いて構成されている。下框本体部５１は、その室外側半部に、窓用パネル体４４を取付けるためのパネル体取付け部５１ａが形成され、また、室内側半部には、下框本体部５１を左右の縦框４７に取付けるための図示しないビスが螺入される複数のビスホール５１ｂが形成されているとともに、室内側端部には、窓用下側無目４０Ｂの戸当り部４２ｅに設けた戸当りパッキン３８に当接する当接部５１ｃが形成されている。
【００５６】
前記下框本体部５１の窓用パネル体取付け部５１ａは、下面部５１ｄと、該下面部５１ｄの室内側端部から立設する立設片５１ｅと、該立設片５１ｅの上端部に形成されるリップ溝状のアタッチメント取付け溝５１ｆと、下面部５１ｄの室外側端部から上方に向けて屈曲形成される押縁取付け片５１ｇとを備えている。
【００５７】
また、下框アタッチメント５２は、その室内側半部に、前記下框本体部５１のアタッチメント取付け溝５１ｆに係止する係止突起５２ａと、シール材２４が嵌合される凹溝５２ｂとが形成され、また室外側半部には、バックアップ材１７およびシーリング材１８を介して窓用パネル体４４の下辺部の室内側を支持するパネル体室内側支持部５２ｃが形成されている。
尚、上框４５を構成する上框アタッチメント２１と下框４６を構成する下框アタッチメント５２とは、同形状の型材を上下対称状となるように天地逆にして用いる。
【００５８】
また、窓用横押縁５３は、パネル体５の室外側に位置する見付け片５３ａと、該見付け片５３ａの室内側に形成される鈎状の取付け片５３ｂとを備えているとともに、該上記見付け片５３ａは、バックアップ材１７およびシーリング材１８を介して窓用パネル体５の下辺部の室外側を支持するパネル体室外側支持部５３ａを構成している。そして、前記下框アタッチメント５２のパネル体室内側支持部５２ｃと、窓用横押縁５３のパネル体室外側支持部（見付け片）５３ａとの間に、窓用パネル体４４の下辺部がバックアップ材１７およびシーリング材１８を介して挟持支持されるようになっている。
【００５９】
さらに、下框本体部５１の下面部５１ｄの下面には、前記ヒンジ４３の他方の羽４３ｂが取付けられている。そして、障子３０は、該ヒンジ４３のピン４３ｃを軸として外倒し状態で開閉するようになっている。
尚、図中、５４は前記窓用横押縁５３の見付け片５３ａの下端部に取付けられる防塵材である。
【００６０】
一方、左右の縦框４７は、その室外側部分に、窓用パネル体４４を取付けるためのパネル体取付け部４７ａが形成されている。該パネル体取付け部４７ａは、室外側面部４７ｂ、室内側面部４７ｃ、左右内方側面部４７ｄ、左右外方側面部４７ｅから形成される水平断面が矩形状の中空体であって、室外側面部４７ｂは、バックアップ材１７およびシーリング材１８を介して窓用パネル体４４の左右縦辺部の室内側を支持するパネル体室内側支持部４７ｂを構成している。また、左右内方側面部４７ｄは、室内側面部４７ｃよりも室内側に突出し、その室内側端部には、前記窓用分割方立アタッチメント３５Ａ、３５Ｂの凹溝３５Ａｆ、３５Ｂｆに嵌合されたパッキン３８に当接する当接部４７ｆが形成されている。
【００６１】
さらに、縦框４７の左右外方側面部４７ｅには、縦押縁１６Ｂを取付けるための押縁取付け部４７ｇが形成されている。該押縁取付け部４７ｇは、縦押縁１６Ｂの係止突片１６Ｂｄを係止するための二条の係止溝４７ｈを備えているとともに、縦框４７のパネル体室内側支持部（室外側面部）４７ｂよりも室内側に位置するように設けられている。
【００６２】
そして、窓用パネル体４４は、前記縦框４７のパネル体室内側支持部（室外側面部）４７ｂの室外側に取付けられることになるが、この場合に、マリオン仕様では、縦框４７の押縁取付け部４７ｇに縦押縁１６Ｂを取付ける一方、バックマリオン仕様では縦押縁１６Ｂを取付けない構成になっている。
【００６３】
前記縦押縁１６Ｂは、第一の実施の形態の縦押縁１６Ｂと共通のものであって、パネル体室外側支持部１６Ｂａを構成する見付け片１６Ｂａと、係止突片１６Ｂｄが形成された取付け片１６Ｂｂとを備えている。
尚、窓用パネル体４４の右縦辺部を支持する縦押縁１６Ｂと左縦辺部を支持する縦押縁１６Ｂとは、同形状の型材を左右対称状となるように左右逆にして用いる。
【００６４】
そして、窓用パネル体４４を取付けるにあたり、マリオン仕様では、縦框４７の押縁取付け部４７ｇに縦押縁１６Ｂを取付けて、縦框４７のパネル体室内側支持部（室外側面部）４７ｂと縦押縁１６Ｂのパネル体室外側支持部（見付け片）１６Ｂａとの間に、バックアップ材１７およびシーリング材１８を介して窓用パネル体４４の左右縦辺部を挟持支持せしめる。この状態では、縦押縁１６Ｂの見付け片（パネル体室外側支持部）１６Ｂａが方立２の縦ラインとして室外側から見えるようになっているが、該縦ラインは窓部３１以外の方立２の縦ラインと同じであり、而して、窓部３１が設けられていても、窓部３１が設けられていない場合と同等の外観意匠となるように構成されている。
【００６５】
これに対し、バックマリオン仕様では、窓用パネル体４４を取付けるにあたり、縦押縁１６Ｂを取付けずに、窓用パネル体４４の左右縦辺部の室内側を、バックアップ材１７およびシーリング材１８を介して縦框４７のパネル体室内側支持部（室外側面部）４７ｂに支持せしめる。この場合に、左右に隣接する障子３０の窓用パネル体４４の左右縦辺部同士の対向間隔は、前記第一の実施の形態において左右に隣接するパネル体５の左右縦辺部同士の対向間隔と同等となるように設定されており、而して、窓部３１が設けられていても、窓部３１が設けられていない場合と同等の外観意匠となるように構成されている。
【００６６】
叙述の如く構成された第四の実施の形態において、カーテンウォール３２は、枠体の開口部に障子３０が開閉自在に取付けられた窓部３１を備えているが、該窓部３１の無目４０は、マリオン仕様、バックマリオン仕様の両仕様に共通の窓用無目４０（窓用上側無目４０Ａおよび窓用下側無目４０Ｂ）を用い、窓部３１の方立３４は、マリオン仕様、バックマリオン仕様の両仕様に共通の窓用方立３４（窓部３１以外の部分の方立本体部６と共通の方立本体部６、およびマリオン仕様、バックマリオン仕様の両仕様に共通の窓用方立アタッチメント３５Ａ、３５Ｂ）を用いる。さらに、障子３０は、窓用パネル体４４と、該窓用パネル体４４の四周辺部を支持する上框４５、下框４６および左右の縦框４７とを備えて構成されるが、これら上框４５、下框４６および左右の縦框４７を、マリオン仕様、バックマリオン仕様の両仕様に共通のものとする一方、左右の縦框４７は、窓用パネル体４４の室内側において窓用パネル体４４の左右縦辺部を支持するパネル室内側支持部（室外側面部）４７ｂおよび縦押縁１６Ｂが取付けられる押縁取付け部４７ｇを有し、マリオン仕様では、該縦框４７の押縁取付け部４７ｇに、窓用パネル体４４の室外側において窓用パネル体４４の左右縦辺部を支持するパネル体室外側支持部（見付け片）１６Ｂａを有する縦押縁１６Ｂを取付け、バックマリオン仕様では縦押縁１６Ｂを取付けない構成になっているとともに、前記縦框４７の押縁取付け部４７ｇは、パネル体室内側支持部（室外側面部）４７ｂよりも室内側に形成されており、これにより、押縁取付け部４７ｇを有する縦框４７を、縦押縁１６Ｂを取付けないバックマリオン仕様に用いても、押縁取付け部４７ｇが窓用パネル体４４の取付けの邪魔にならず、部材の共通化を達成できることになる。
【００６７】
この結果、カーテンウォール３２に設けられる窓部３１においても、マリオン仕様とバックマリオン仕様とでは、縦押縁１６Ｂを用いるか否かの違いだけで、窓用無目４０（窓用上側無目４０Ａおよび窓用下側無目４０Ｂ）も、窓用方立３４を構成する方立本体部６および窓用方立アタッチメント３５Ａ、３５Ｂも共通の部材を用いることができることになって、部材の共通化が図れ、製造コストの削減、在庫管理の簡素化、工場や施工現場での組み立て作業の共通化に大きく貢献できて、コストダウンを達成できることになる。また、１つの壁面内の窓部３１でマリオン仕様とバックマリオン仕様とを組み合わせることも容易となる。
【００６８】
しかもこのものにおいて、障子３０の縦框４７に取付けられる縦押縁１６Ｂは、窓部３１以外の部分の方立２を構成する方立アタッチメント７Ａ、７Ｂに取付けられる縦押縁１６Ｂと共通のものであり、而して、さらなる部材の共通化が図れてコストダウンに貢献できるとともに、外観意匠においても、窓部３１と窓部３１以外の部分とが統一された優れた意匠となる。
【００６９】
さらに、本発明は、図１６〜図２０に示す第五の実施の形態の如く、方立部材６０を、前述した第一の実施の形態における方立本体部と方立アタッチメントとが一体化されたものとすることもできる。尚、第五の実施の形態において、第一の実施の形態と同一のものは同一の符号を付すとともに、説明を省略する。
【００７０】
前記第五の実施の形態の方立部材６０は、第一の実施の形態と同様、左右対の分割方立部材６０Ａ、６０Ｂから形成される左右分割型のものであって、これら左右の分割方立部材６０Ａ、６０Ｂは、室内側面部６０Ａａ、６０Ｂａ、室外側面部６０Ａｂ、６０Ｂｂ、これら室内側面部６０Ａａ、６０Ｂａと室外側面部６０Ａｂ、６０Ｂｂとの室内外方向中間部に設けられる室内外中間面部６０Ａｃ、６０Ｂｃ、室内側面部６０Ａａ、６０Ｂａの左右内方側端部から室外側面部６０Ａｂ、６０Ｂｂの左右内方側端部に至る左右内方側面部６０Ａｄ、６０Ｂｄ、室内外中間面部６０Ａｃ、６０Ｂｃの左右外方側端部から室外側面部６０Ａｂ、６０Ｂｂの左右外方側端部に至る左右外方側面部６０Ａｅ、６０Ｂｅ等から形成されているが、上記室外側面部６０Ａｂ、６０Ｂｂは、第一の実施の形態における分割方立アタッチメント７Ａ、７Ｂの室外側面部７Ａｂ、７Ｂｂに相当し、バックアップ材１７およびシーリング材１８を介してパネル体５の左右縦辺部の室内側を支持するパネル体室内側支持部６０Ａｂ、６０Ｂｂを構成している。
【００７１】
また、一方の分割方立部材６０Ａの室内側面部６０Ａａおよび室内外中間面部６０Ａｃの左右外方側端部には、他方の分割方立部材６０Ｂの室内側面部６０Ｂａおよび室内外中間面部６０Ｂｃの左右外方側端部に係合する係合部６０Ａｆ、６０Ａｇが突出形成されている。そして、分割方立部材６０Ａ、６０Ｂ同士は、上記係合部６０Ａｆ、６０Ａｇを他方の分割方立部材６０Ｂの室内側面部６０Ｂａおよび室内外中間面部６０Ｂｃの左右外方側端部に係合させた状態で、一方の分割方立本体部６０Ａにビス９で止着され他方の分割方立本体部６０Ｂに係合される方立ジョイント部品（連結部材）８により隙間があかないように連結されるようになっているが、該分割方立部材６０Ａ、６０Ｂ同士を連結した状態で、左右の分割方立部材６０Ａ、６０Ｂの左右外方側面部６０Ａｅ、６０Ｂｅの室内側半部は、所定間隔を存する状態で平行状になるとともに、その室外側先端部間にはバックアップ材１１とシーリング材１２によってシールされるようになっている。
【００７２】
さらに、分割方立部材６０Ａ、６０Ｂの左右外方側面部６０Ａｅ、６０Ｂｅの室外側半部には、縦押縁１６Ａ、１６Ｂを取付けるための押縁取付け部６０Ａｈ、６０Ｂｈが形成されている。該押縁取付け部６０Ａｈ、６０Ｂｈは、縦押縁１６Ａ、１６Ｂの係止突片１６Ａｄ、１６Ｂｄを係止するための二条の係止溝６０Ａｉ、６０Ｂｉが形成されているとともに、パネル体室内側支持部（室外側面部）６０Ａｂ、６０Ｂｂよりも室内側に位置するように設けられている。尚、縦押縁１６Ａ、１６Ｂは第一の実施の形態と同様であるため説明を省略する。
【００７３】
そして、第五の実施の形態においても、前述した第一の実施の形態と同様に、マリオン仕様では、分割方立部材６０Ａ、６０Ｂの押縁取付け部６０Ａｈ、６０Ｂｈに縦押縁１６Ａ、１６Ｂを取付けて、パネル体室内側支持部（室外側面部）６０Ａｂ、６０Ｂｂと縦押縁１６Ａ、１６Ｂのパネル体室外側支持部（見付け片）１６Ａａ、１６Ｂａとの間に、バックアップ材１７およびシーリング材１８を介してパネル体５の左右縦辺部を挟持支持せしめる。一方、バックマリオン仕様では、縦押縁１６Ａ、１６Ｂを取付けずに、パネル体５の左右縦辺部の室内側を、バックアップ材１７およびシーリング材１８を介してパネル体室内側支持部（室外側面部）６０Ａｂ、６０Ｂｂに支持せしめるとともに、左右に隣接するパネル体５の左右縦辺部同士を突き付け、該突き付け部をシーリング材１９で充填して封止する構成になっている。
【００７４】
一方、第五の実施の形態の無目３は、第一の実施の形態の無目３と同様の構造であり、また、パネル体５の上下辺部の支持構造も同様であるため説明を省略する（第一の実施の形態の図３、図７を参照。）が、該無目３の分割方立部材６０Ａ、６０Ｂへの取付けは、図１８に示す如く、無目本体部２０の左右外端面を分割方立部材６０Ａ、６０Ｂの左右内方側面部６０Ａｄ、６０Ｂｄに当接させた状態で、左右外方側面部６０Ａｅ、６０Ｂｅに開設された貫通孔６０Ａｋ、６０Ｂｋを貫通させたビス６１を無目本体部２０のビスホール２０ｑに螺入して固定する。この場合に、左右に隣接する無目３の室外側部分の左右外端面同士の対向間隔は、第一の実施の形態と同様に、マリオン仕様における左右に隣接する縦押縁１６Ａ、１６の見付け片１６Ａａ、１６Ｂａの左右外端部同士の対向間隔、およびバックマリオン仕様における左右に隣接するパネル体５の左右縦辺部同士の対向間隔（シーリング材１９の横幅）と等しくなるように設定されており、而して、無目３の左右外端面は第一の実施の形態のようにストレートな切断加工ではなく、段差状に切欠き加工されるようになっている。
【００７５】
そして、この第五の実施の形態のものにおいても、第一の実施の形態と同様に、工場等の製造現場において、分割方立部材６０Ａ、６０Ｂの左右内方側間（反連結側間）に無目３を組付けて、パネル体５が取付けられる開口部が上下方向に複数形成された梯子状の枠組ユニットを製作し、該枠組ユニットを、施工現場にてファスナー６２および方立取付ブラケット６３を介して順次躯体側に取付ける。
前記ファスナー６２は、図１９、図２０に示す如く、躯体側に埋設固定されるアンカー金具６４に当接する下面部６２ａと、該下面部６２ａから立設される支持面部６２ｂと、該支持面部６２ｂの上端部から水平方向に折曲される上面部６２ｃとが一体形成されたものであって、補強板６２ｄを備えている。一方、方立取付ブラケット６３は、ファスナー６２に取付けられる第一取付面部６３ａと、分割方立部材６０Ａまたは６０Ｂに取付けられる第二取付面部６３ｂとを有するアングル形状のものであって、第一取付面部６３ａの上端部からは、水平方向を向く上側フランジ面部６３ｃが一体形成されている。
そして、前記枠組ユニットを躯体側に取付ける場合には、枠組ユニットを構成する分割方立部材６０Ａ、６０Ｂを順次躯体側に固定するが、この場合、まず、前記躯体に埋設固定されたアンカー金具６４に、ボルト−ナット６５によりファスナー６２を固定する。一方、分割方立部材６０Ａまたは６０Ｂの左右内方側面部６０Ａｄ、６０Ｂｄにボルト−ナット６６により方立取付ブラケット６３を固定し、該方立取付ブラケット６３と前記ファスナー６２とを、間にライナー金具６７を介在させた状態でボルト−ナット６８により固定する。尚、前記方立取付ブラケット６３の上側フランジ面部６３ｃには、上下方向調整用ボルト６９が螺合されるネジ孔６３ｄが開設されているとともに、該ネジ孔６３ｄに螺合された上下方向調整用ボルト６９の下端部は、ファスナー６２の上面部６２ｃに当接するようになっている。そして、該上下方向調整用ボルト６９により方立取付ブラケット６３の上下位置を調整してダブルナット７０で固定することにより、分割方立部材６０Ａ、６０Ｂの上下方向の建て付け位置の調整を行えるようになっている。
【００７６】
叙述の如く構成された第五の実施の形態において、方立部材６０は、第一の実施の形態における方立本体部６と方立アタッチメント７とが一体形成されたものであって、躯体側に支持されるとともに、パネル体５の室内側においてパネル体５の左右縦辺部を支持するパネル体室内側支持部（室外側面部）６０Ａｂ、６０Ｂｂと縦押縁１６Ａ、１６Ｂが取付けられる押縁取付け部６０Ａｈ、６０Ｂｈとを有しているが、このように方立部材６０が一体的に形成されたものであっても、本発明を実施できる。そして、この第五の実施の形態のものにおいても、方立部材６０の押縁取付け部６０Ａｈ、６０Ｂｈは、パネル体室内側支持部６０Ａｂ、６０Ｂｂよりも室内側に形成されており、これにより、押縁取付け部６０Ａｈ、６０Ｂｈを有する方立部材６０を、縦押縁１６Ａ、１６Ｂを取付けないバックマリオン仕様に用いても、押縁取付け部６０Ａｈ、６０Ｂｈがパネル体５の取付けの邪魔にならず、部材の共通化を達成できることになる。この結果、第五の実施の形態のものにおいても、第一の実施の形態と同様に、マリオン仕様とバックマリオン仕様とでは、縦押縁１６Ａ、１６Ｂを用いるか否かの違いだけで、無目３も、方立２を構成する方立部材６０も共通の部材を用いることができることになって、部材の共通化が図れ、製造コストの削減、在庫管理の簡素化、工場や施工現場での組み立て作業の共通化に大きく貢献できて、コストダウンを達成できる。
【産業上の利用可能性】
【００７７】
本発明は、建造物の外壁等に用いられるカーテンウォールに利用することができる。
【符号の説明】
【００７８】
１  カーテンウォール
２  方立
３  無目
４  方立部材
４Ａ、４Ｂ  分割方立部材
５  パネル体
６Ａ、６Ｂ  分割方立本体部
７Ａ、７Ｂ  分割方立アタッチメント
７Ａｂ、７Ｂｂ  パネル体室内側支持部（室外側面部）
７Ａｉ、７Ｂｉ  押縁取付け部
１６Ａ、１６Ｂ  縦押縁
１６Ａａ、１６Ｂａ  パネル体室外側支持部（見付け片）
２８  縦押縁
２８ｄ、２８ｅ  左右のパネル体室外側支持部
３０  障子
３１  窓部
３２  カーテンウォール
３４  窓用方立
３５Ａ、３５Ｂ  分割窓用方立アタッチメント
４０Ａ  窓用上側無目
４０Ｂ  窓用下側無目
４４  窓用パネル体
４５  上框
４６  下框
４７  左右の縦框
４７ｂ  パネル体室内側支持部（室外側面部）
４７ｇ  押縁取付け部
６０  方立部材
６０Ａ、６０Ｂ  分割方立部材
６０Ａｂ、６０Ｂｂ  パネル体室内側支持部（室外側面部）
６０Ａｈ、６０Ｂｈ  押縁取付け部
【図１】
0006726963.tif 000002
【図２】
0006726963.tif 000003
【図３】
0006726963.tif 000004
【図４】
0006726963.tif 000005
【図５】
0006726963.tif 000006
【図６】
0006726963.tif 000007
【図７】
0006726963.tif 000008
【図８】
0006726963.tif 000009
【図９】
0006726963.tif 000010
【図１０】
0006726963.tif 000011
【図１１】
0006726963.tif 000012
【図１２】
0006726963.tif 000013
【図１３】
0006726963.tif 000014
【図１４】
0006726963.tif 000015
【図１５】
0006726963.tif 000016
【図１６】
0006726963.tif 000017
【図１７】
0006726963.tif 000018
【図１８】
0006726963.tif 000019
【図１９】
0006726963.tif 000020
【図２０】
0006726963.tif 000021